(57)【要約】【課題】階層的変調信号から階層的に変調されたＨＰストリームとＬＰストリーム成分を、それぞれ独立的に抽出及び軟判定して、該当する復号器に伝達する。【解決手段】本発明の階層的変調信号の独立的ストリーム抽出及び軟判定装置は、外部から階層的変調信号（Ｉチャネル信号及びＱチャネル信号）を受信し、同期化機能を行う信号同期手段と、該信号同期手段により同期化された受信信号（Ｉチャネル信号及びＱチャネル信号）を分岐させる信号分岐手段と、該信号分岐手段により分岐された一方の受信信号からＨＰストリームを抽出し軟判定を行うＨＰストリーム抽出及び軟判定手段と、前記信号分岐手段により分岐された他方の受信信号に対し、星座点の区分ができるように演算する演算手段と、該演算手段により演算された受信信号からＬＰストリームを抽出し軟判定を行うＬＰストリーム抽出及び軟判定手段とを備える。【選択図】図４
2007135193.tif 000002
【特許請求の範囲】
【請求項１】
外部から階層的変調信号（Ｉチャネル信号及びＱチャネル信号）を受信し、同期化機能を行う信号同期手段と、
該信号同期手段により同期化された受信信号（Ｉチャネル信号及びＱチャネル信号）を分岐させる信号分岐手段と、
該信号分岐手段により分岐された一方の受信信号からＨＰストリームを抽出し軟判定を行うＨＰストリーム抽出及び軟判定手段と、
前記信号分岐手段により分岐された他方の受信信号に対し、星座点の区分ができるように演算する演算手段と、
該演算手段により演算された受信信号からＬＰストリームを抽出し軟判定を行うＬＰストリーム抽出及び軟判定手段と
を備えたことを特徴とする階層的変調信号の独立的ストリーム抽出及び軟判定装置。
【請求項２】
前記階層的変調信号が、ＤＶＢ−Ｓ２（Ｄｉｇｉｔａｌ  Ｖｉｄｅｏ  Ｂｒｏａｄｃａｓｔｉｎｇ  ｖｉａ  Ｓａｔｅｌｌｉｔｅ  ｖｅｒｓｉｏｎ  ２）標準のＢＣ（Ｂａｃｋｗａｒｄ  Ｃｏｍｐａｔｉｂｌｅ）モード信号であり、
前記ＨＰストリーム抽出及び軟判定手段が、軟判定した軟判定値（軟判定されたＨＰストリームデータ）を外部のＤＶＢ−Ｓ復号器に伝達し、
前記ＬＰストリーム抽出及び軟判定手段が、軟判定した軟判定値（軟判定されたＬＰストリームデータ）を外部のＤＶＢ−Ｓ２復号器に伝達することを特徴とする請求項１に記載の階層的変調信号の独立的ストリーム抽出及び軟判定装置。
【請求項３】
前記ＨＰストリーム抽出及び軟判定手段が、
前記信号分岐手段により分岐された一方の受信信号を受け取って、第１及び第２ルックアップテーブル（Ｌｏｏｋ−Ｕｐ  Ｔａｂｌｅ）に予め指定されて格納されている値に対応する出力を、前記ＤＶＢ−Ｓ復号器に伝達することを特徴とする請求項２に記載の階層的変調信号の独立的ストリーム抽出及び軟判定装置。
【請求項４】
前記ＬＰストリーム抽出及び軟判定手段が、
前記演算手段により演算された受信信号を受け取って、第３ルックアップテーブルを介した比較により、予め指定されて格納されている値に対応する出力を前記ＤＶＢ−Ｓ２復号器に伝達することを特徴とする請求項３に記載の階層的変調信号の独立的ストリーム抽出及び軟判定装置。
【請求項５】
前記演算手段が、
前記信号分岐手段により分岐された他方のＩチャネル信号及びＱチャネル信号に対し、それぞれ絶対値を取る絶対値演算部と、
コサイン値及びサイン値を発生させる三角関数発生部と、
前記絶対値演算部からの２つの絶対値に、前記三角関数発生部からのコサイン値及びサイン値を一対一で対応させて積算する積算演算部と、
該積算演算部で三角関数値が積算されたＩチャネル信号及びＱチャネル信号を合算し、前記ＬＰストリーム抽出及び軟判定手段に伝達するための合算器と
を備えたことを特徴とする請求項１〜４のいずれか１項に記載の階層的変調信号の独立的ストリーム抽出及び軟判定装置。
【請求項６】
前記積算演算部が、
前記絶対値演算部から受け取ったＩチャネルの絶対値に、前記三角関数発生部からのサイン値を積算する第１積算器と、
前記絶対値演算部から受け取ったＱチャネルの絶対値に、前記三角関数発生部からのコサイン値を積算する第２積算器と、
を備えたことを特徴とする請求項５に記載の階層的変調信号の独立的ストリーム抽出及び軟判定装置。
【請求項７】
階層的変調信号（Ｉチャネル信号及びＱチャネル信号）を受信して同期化機能を行うステップと、
前記同期化された受信信号（Ｉチャネル信号及びＱチャネル信号）を分岐させるステップと、
前記分岐させた一方の受信信号からＨＰストリームを抽出して軟判定を行うステップと、
前記分岐させた他方の受信信号に対し、星座点の区分ができるように演算するステップと、
前記演算された受信信号からＬＰストリームを抽出して軟判定を行うステップと
を含むことを特徴とする階層的変調信号の独立的ストリーム抽出及び軟判定方法。
【請求項８】
前記階層的変調信号が、
ＤＶＢ−Ｓ２（Ｄｉｇｉｔａｌ  Ｖｉｄｅｏ  Ｂｒｏａｄｃａｓｔｉｎｇ  ｖｉａ  Ｓａｔｅｌｌｉｔｅ  ｖｅｒｓｉｏｎ  ２）標準のＢＣ（Ｂａｃｋｗａｒｄ  Ｃｏｍｐａｔｉｂｌｅ）モード信号であることを特徴とする請求項７に記載の階層的変調信号の独立的ストリーム抽出及び軟判定方法。
【発明の詳細な説明】
【技術分野】
【０００１】
本発明は、階層的変調信号から階層的に変調された２つのストリームをそれぞれ抽出及び軟判定した後、各ストリームに適した復号器に出力する、階層的変調信号の独立的ストリーム抽出及び軟判定装置並びにその方法に関し、さらに詳細には、Ｉ（ＩＮ−ｐｈａｓｅ；以下「Ｉ」と記す）チャネルとＱ（Ｑｕａｄｒａｔｕｒｅ−ｐｈａｓｅ；以下、「Ｑ」と記す）チャネルの受信信号を分岐し、該当受信信号値からＨＰ（Ｈｉｇｈ  Ｐｒｉｏｒｉｔｙ；以下、「ＨＰ」と記す）ストリームとＬＰ（Ｌｏｗ  Ｐｒｉｏｒｉｔｙ；以下、「ＬＰ」と記す）ストリームをそれぞれ独立的に抽出及び軟判定して各ストリームに適した復号器に出力する、階層的変調信号の独立的ストリーム抽出及び軟判定装置並びにその方法に関する。
【背景技術】
【０００２】
一般に、デジタル変調では、搬送波の位相、振幅、及び周波数のうちのいずれか又はこれらを組み合わせたものを０と１のデジタルデータに変化させることによって信号を伝送する。位相変化に符号を対応させて信号を伝送する方式を位相偏移変調（Ｐｈａｓｅ  Ｓｈｉｆｔ  Ｋｅｙｉｎｇ；以下、「ＰＳＫ」と記す）という。
【０００３】
この時、伝送しようとする２つの値（０又は１）のデジタル信号を搬送波の２つの位相（すなわち、０位相とπ位相）に対応させて伝送する基本的な位相偏移変調方式を２進位相偏移変調（Ｂｉｎａｒｙ  ＰＳＫ、以下、「ＢＰＳＫ」と記す）という。
【０００４】
このようなＢＰＳＫとは異なり、２つの値のデジタル信号０と１の２つのビットを集めて搬送波の４つの位相に対応させて伝送する方式を直交位相偏移変調（Ｑｕａｄｒａｔｕｒｅ  Ｐｈａｓｅ  Ｓｈｉｆｔ  Ｋｅｙｉｎｇ；以下、「ＱＰＳＫ」と記す）という。すなわち、０位相に（０、０）、π/２位相に（０、１）、π位相に（１、０）、３π/２位相に（１、１）を対応させて伝送する。２進位相偏移変調（ＢＰＳＫ）を２位相偏移変調、直交位相偏移変調（ＱＰＳＫ）を４位相偏移変調とも呼ぶ。ＱＰＳＫ変調波は、同じ周波数帯域でＢＰＳＫ変調波と比べて２倍の情報が伝送でき、衛星放送の音声信号伝送や衛星通信分野において広く用いられている。
【０００５】
そして、同じ周波数帯域でＢＰＳＫに比べて３倍の情報伝送が可能な８位相偏移変調（以下、「８ＰＳＫ」と記す）、４倍の情報伝送が可能な１６位相偏移変調１６ＰＳＫ）もある。
【０００６】
一方、ＤＶＢ−Ｓ（Ｄｉｇｉｔａｌ  Ｖｉｄｅｏ  Ｂｒｏａｄｃａｓｔｉｎｇ  ｖｉａ  Ｓａｔｅｌｌｉｔｅ；以下、「ＤＶＢ−Ｓ」と記す）標準を基盤とした従来の衛星放送システムでは、ＱＰＳＫ（Ｑｕａｄｒａｔｕｒｅ  Ｐｈａｓｅ  Ｓｈｉｆｔ  Ｋｅｙｉｎｇ）変調による信号伝送方式を採用していることから、チャネル状態の良い場合には、実際の伝送可能なデータ量より少ない実際データが伝送され、伝送効率の低下を引き起こす。また、従来の衛星放送システムでは、ＤＶＢ−Ｓ２規格に従って信号を伝送していることから、既加入者らが従来の受信装置を利用しての信号受信がもうこれ以上は不可能となる。
【０００７】
このような短所を補完して、従来の受信装置でも受信が可能なように、新しい信号を付加して送信することによって、さらに高い伝送効率を得ることができるようにし、新しい加入者は、新しい受信装置を利用して従来の受信装置が受信不可能としていた信号も受信可能にするという点でＤＶＢ−Ｓ２  ＢＣモードの意味があるといえる。
【０００８】
このような同時伝送を可能にするために、ＤＶＢ−Ｓ２  ＢＣモードの送信装置は、入力される互いに異なる２つの信号を１つの星座（Ｃｏｎｓｔｅｌｌａｔｉｏｎ  Ｐｏｉｎｔ）に階層的に対応付けた上で、これらを伝送する。このような伝送方法は、従来の信号パターンを最大限維持すると共に、新しい信号の追加を可能なものにする。互いに異なる２つの信号を１つの星座点に対応させる位置は、図１に示されたものと同様であり、これについては、図２を説明する際に共に説明する。
【０００９】
図２は、ＤＶＢ−Ｓ２  ＢＣモードのための送信装置の一実施形態を説明するための構成図である。
【００１０】
図２に示すように、従来のＤＶＢ−Ｓ符号化器２０１と新しい標準に従うＤＶＢ−Ｓ２符号化器２０２からそれぞれ独立的に入力される信号は、それぞれＨＰストリームとＬＰストリームに区分され、ＨＰストリームの場合、階層的マッピングブロック２０４に直接入力され、ＬＰストリームの場合、ＰＬヘッダ挿入ブロック２０３を経て階層的マッピングブロック２０４に入力される。
【００１１】
そうすると、階層的マッピングブロック２０４では、入力された２つのストリーム（ＨＰストリームとＬＰストリーム）の信号を１つの星座点に対応させるが、この方法は、図１に示されたものと同様である。入力された信号のうちＨＰストリームに該当するｂ０とｂ１は、それぞれビット値に応じて１四分面１０１から４四分面１０４まで区分されて割り当てられ、ＬＰストリームに該当するｂ２ビット値により、各四分面内において中心位置から予め指定された一定角度分だけ移動した点１０５〜１１２のうちのいずれかに対応される。このように変更された信号は、図２に示すように、パルス成形ブロック２０５を介して帯域制限された信号に変更され、その後アナログ変調ブロック２０６を介して送信される。
【００１２】
図３は、従来の技術に係るＤＶＢ−Ｓ２  ＢＣモードの不均一８ＰＳＫ信号の独立的ストリーム抽出及び軟判定装置並びにそれを利用した復調装置の一例図である。
【００１３】
図３に示すように、衛星アンテナを介して受信された信号は、信号同期部を経てＨＰストリーム復調ブロック３０１に伝達される。そうすると、ＨＰストリーム復調ブロック３０１では、受信された信号を軟判定して、その軟判定値をＨＰストリーム復号ブロック３０３と遅延対応ブロック３０２に伝達する。
【００１４】
そうすると、ＨＰストリーム復号ブロック３０３では、軟判定値に応じて信号を復号化し、直ちにＨＰストリームの出力信号として出力する。この時、復号化されたＨＰストリーム出力データは、上述した図１のｂ０とｂ１に該当するビット値を示す。
【００１５】
また、前記ＨＰストリーム復号ブロック３０３から出力されるＨＰストリームの出力信号は、ＬＰストリームの復調のために、ＨＰストリーム再符号化及び再マッピングブロック３０４に入力される。そうすると、前記ＨＰストリーム再符号化及び再マッピングブロック３０４では、ＨＰストリームの出力信号を再符号化及び再マッピングすることによって、受信信号がどの四分面に所属するのかを探索する。
【００１６】
このように検知した四分面情報が、ログ尤度（Ｌｏｇ−Ｌｉｋｅｌｉｈｏｏｄ）計算ブロック３０５に伝達されるに伴い、遅延対応ブロック３０２により遅延されていた信号もログ尤度計算ブロック３０５に共に入力されて、ＬＰストリームに対する軟判定値を計算する。このように計算された軟判定値は、ＬＰストリーム復号ブロック３０６に伝達され、最終的に、図１のｂ２に対応する値（復号化されたＬＰストリームデータ）を出力する。
【００１７】
したがって、上記のような従来の技術は、受信された信号を再符号化及び再マッピングしなければならず、また、その時間内に、同じ信号に遅延を与えなければならず、最終的に極めて複雑な計算であるＬＬＲ（Ｌｏｇ-Ｌｉｋｅｌｉｈｏｏｄ  Ｒａｔｉｏ；以下、「ＬＬＲ」と記す）を計算しなければならないという短所がある。
【発明の開示】
【発明が解決しようとする課題】
【００１８】
本発明は、上記のような従来の問題を解決するためになされたものであって、その目的は、階層的変調信号から階層的に変調されたＨＰストリームとＬＰストリーム成分をそれぞれ独立的に抽出及び軟判定し、該当の復号器に伝達する、階層的変調信号の独立的ストリーム抽出及び軟判定装置並びにその方法を提供することにある。
【００１９】
すなわち、本発明は、受信信号（ＩチャネルとＱチャネル信号）を分岐し、該当受信信号値からＨＰストリームとＬＰストリームをそれぞれ独立的に抽出及び軟判定して、各ストリームに適する復号器に軟判定値を出力することによって、送信側変調方式が制限する信号の特性を最大限活用して、簡単な計算を介して性能の低下を最小化すると共に、ハードウェアの複雑度も低減し、かつ各ストリームに対して互いに独立的な処理方式を提供して、それぞれのストリームが互いに干渉を受けない遅延のない出力信号を得ることができる、階層的変調信号の独立的ストリーム抽出及び軟判定装置並びにその方法を提供することにその目的がある。
【００２０】
本発明の他の目的及び長所は、下記の説明によって理解することができ、本発明の実施形態によってより明らかになるはずである。また、本発明の目的及び長所らは、特許請求の範囲に示された手段及びその組み合わせにより実現できることが容易に分かるであろう。
【課題を解決するための手段】
【００２１】
上記の目的を達成するため、本発明の装置は、外部から階層的変調信号（Ｉチャネル信号及びＱチャネル信号）を受信し、同期化機能を行う信号同期手段と、該信号同期手段により同期化された受信信号（Ｉチャネル信号及びＱチャネル信号）を分岐させる信号分岐手段と、該信号分岐手段により分岐された一方の受信信号からＨＰストリームを抽出し軟判定を行うＨＰストリーム抽出及び軟判定手段と、前記信号分岐手段により分岐された他方の受信信号に対し、星座点の区分ができるように演算する演算手段と、該演算手段により演算された受信信号からＬＰストリームを抽出し軟判定を行うＬＰストリーム抽出及び軟判定手段とを備える。
【００２２】
一方、本発明の方法は、階層的変調信号（Ｉチャネル信号及びＱチャネル信号）を受信して同期化機能を行うステップと、前記同期化された受信信号（Ｉチャネル信号及びＱチャネル信号）を分岐させるステップと、前記分岐させた一方の受信信号からＨＰストリームを抽出して軟判定を行うステップと、前記分岐させた他方の受信信号に対し、星座点の区分ができるように演算するステップと、前記演算された受信信号からＬＰストリームを抽出して軟判定を行うステップとを含む。
【発明の効果】
【００２３】
本発明によれば、ＤＶＢ−Ｓ２  ＢＣモード標準により伝送される信号を複雑な再符号化、再マッピング、及びＬＬＲ計算によらず、簡単な計算及び比較判定により、ＨＰストリーム及びＬＰストリームが混合された信号から独立的に抽出し、これを信頼度の高い軟判定値として算出することができるという効果がある。
【００２４】
また、本発明は、ＬＬＲ計算の際に用いられるＳＮＲ（Ｓｉｇｎａｌ−ｔｏ−Ｎｏｉｓｅ  Ｒａｔｉｏ）値を推定しなければならない別途の装置を必要としないため、非常に簡単な回路で具現化できるという効果がある。
【００２５】
また、本発明は、受信信号中に混合されているＨＰストリームとＬＰストリームという２つのストリームを互いに独立的に抽出できるため、互いに干渉しない遅延のない出力が得られるという効果がある。
【発明を実施するための最良の形態】
【００２６】
以下、本発明の最も好ましい実施形態を、添付した図面を参照して詳細に説明する。
【００２７】
本実施形態では、階層的変調信号として、ＤＶＢ−Ｓ２（Ｄｉｇｉｔａｌ  Ｖｉｄｅｏ  Ｂｒｏａｄｃａｓｔｉｎｇ  ｖｉａ  Ｓａｔｅｌｌｉｔｅ  ｖｅｒｓｉｏｎ  ２；以下、「ＤＶＢ−Ｓ２」と記す）標準のＢＣ（Ｂａｃｋｗａｒｄ  Ｃｏｍｐａｔｉｂｌｅ；以下、「ＢＣ」と記す）モード信号を例に挙げて説明するが、本発明はこれに限定されず、これは当業者にとって自明である。
【００２８】
図４は、本発明に係るＤＶＢ−Ｓ２  ＢＣモードの不均一８ＰＳＫ信号の独立的ストリーム抽出及び軟判定装置並びにそれを利用した復調装置の一実施形態を説明するための構成図である。
【００２９】
図４に示すように、本発明に係るＤＶＢ−Ｓ２  ＢＣモードの不均一８ＰＳＫ信号の独立的ストリーム抽出及び軟判定装置は、送信側から送信されたＤＶＢ−Ｓ２  ＢＣモードの不均一８ＰＳＫ信号を衛星アンテナ４００を介して受信して同期化機能を行うための信号同期部４０５、該信号同期部４０５で同期化された受信信号（Ｉチャネル信号及びＱチャネル信号）を分岐させる信号分岐部４１０、該信号分岐部４１０で分岐された一方の受信信号（Ｉチャネル信号及びＱチャネル信号）からＨＰストリームを抽出して軟判定を行い、その軟判定値をＤＶＢ−Ｓ復号器４３０に出力するためのＨＰストリーム抽出及び軟判定部４２０、前記信号分岐部４１０で分岐した他方の受信信号（Ｉチャネル信号及びＱチャネル信号）に対して、星座点の区分ができるように演算するための演算部４４０〜４７０、及び前記演算部４４０〜４７０で演算した受信信号（Ｉチャネル信号及びＱチャネル信号）からＬＰストリームを抽出して軟判定を行い、その軟判定値をＤＶＢ−Ｓ２復号器４９０に出力するためのＬＰストリーム抽出及び軟判定部４８０を備える。
【００３０】
ここで、前記ＤＶＢ−Ｓ復号器４３０は、前記ＨＰストリーム抽出及び軟判定部４２０から受け取った軟判定値（軟判定されたＨＰストリームデータ）から信号のエラーを訂正し復号化を行う。そして、前記ＤＶＢ−Ｓ２復号器４９０は、ＬＰストリーム抽出及び軟判定部４８０から受け取った軟判定値（軟判定されたＬＰストリームデータ）から信号のエラーを訂正し復号化を行う。
【００３１】
そして、前記演算部４４０〜４７０は、前記信号分岐部４１０で分岐した他方のＩチャネル信号及びＱチャネル信号に対し、それぞれ絶対値を取る絶対値演算部４４０、コサイン値とサイン値を発生させるための三角関数発生部４６０、前記絶対値演算部４４０からの２つの絶対値に前記三角関数発生部４６０からのコサイン値とサイン値を一対一で対応させて積算する積算演算部４５０、及び該積算演算部４５０で三角関数値が積算されているＩチャネル信号及びＱチャネル信号を合算して、前記ＬＰストリーム抽出及び軟判定部４８０に伝達するための合算器４７０を備える。
【００３２】
この時、前記絶対値演算部４４０は、前記信号分岐部４１０で分岐された他方のＩチャネル信号に対して絶対値を取るための第１絶対値演算器４４１、及び前記信号分岐部４１０で分岐された他方のＱチャネル信号に対して絶対値を取る第２絶対値演算器４４２を備える。
【００３３】
そして、前記積算演算部４５０は、前記絶対値演算部４４０から受け取ったＩチャネルの絶対値に前記三角関数発生部４６０からのサイン値を積算する第１積算器４５１、及び前記絶対値演算部４４０から受け取ったＱチャネルの絶対値に前記三角関数発生部４６０からのコサイン値を積算する第２積算器４５２を備える。
【００３４】
次に、前記各構成要素の詳細な構成及びその動作を詳細に説明すれば、次の通りである。
【００３５】
まず、衛星アンテナ４００は、送信側から送信されたＤＶＢ−Ｓ２  ＢＣモードの不均一８ＰＳＫ信号を衛星を介して受信し、復調ブロックに伝達する。この時、前記信号同期部４０５では、受信信号に対する同期化機能（例；位相、タイミング、及び周波数の復元等）を行う。以後、同期化されたＩチャネルとＱチャネルに該当する受信信号は、信号分岐部４１０で２つの信号に分岐され、各ストリームのための復調ブロックへと伝達される。
【００３６】
前記分岐された一方のＩチャネル信号及びＱチャネル信号は、ＨＰストリームを抽出して軟判定するＨＰストリーム抽出及び軟判定部４２０に伝達され、第１及び第２ルックアップテーブル（Ｌｏｏｋ−Ｕｐ  Ｔａｂｌｅ）４２１、４２２に予め指定されて格納されている値に対応する出力を、ＤＶＢ−Ｓ復号器４３０へと伝達する。ここで、前記第１及び第２ルックアップテーブル４２１、４２２の構造は、次の［表１］の通りである。
【表１】
2007135193.tif 000003
【００３７】
前記［表１］において、Ｉチャネル信号及びＱチャネル信号が１０ビットで伝達されると仮定するとき、入力値は、ＨＰストリーム抽出及び軟判定部４２０に伝達されて、第１及び第２ルックアップテーブル４２１、４２２に１０２４種類の入力レベル区分が可能となり、これによるテーブル値に応じて、予め指定された出力値をＤＶＢ−Ｓ復号器４３０へと伝達される。
【００３８】
上述したようなＨＰストリームに対する抽出及び軟判定方法は、次の通りに説明されることができる。一般に、ＤＶＢ−Ｓ信号は、標準に記述された通りに、ＱＰＳＫ変調を介して伝達される。こういう理由から、図１に示された星座とは異なる形態で伝達される。このようなＱＰＳＫ信号のみが受信可能な従来のＤＶＢ−Ｓ受信機は、ＤＶＢ−Ｓ２  ＢＣモード信号を受信する時、依然として受信信号をＱＰＳＫ変調された信号と仮定し復調を行う。そのため、ＨＰストリームを抽出して軟判定するＨＰストリーム抽出及び判定部４２０は、図１に示されている不均一８ＰＳＫの星座点をあたかもノイズが添加されたようなＱＰＳＫ信号と認識し、これに対する軟判定を行う。こうすることによって、実際信号は、ＱＰＳＫではない不均一８ＰＳＫ信号であるものの、軟判定されて出力される信号は、ＱＰＳＫ信号と同様に、図１に示されたｂ０とｂ１の２つのビット値に対応する軟判定値を出力し、このような過程で生じた信号の減少及び性能の低下は無視する。このような過程は、ＨＰストリームとＬＰストリームとが混合された信号からＨＰストリームを抽出して軟判定する過程と言える。
【００３９】
一方、ＬＰストリーム抽出及び軟判定の場合は、前記ＨＰストリーム抽出及び軟判定に用いられるＩチャネル信号及びＱチャネル信号とを分岐して利用し、並列に行われる。この時、前記ＬＰストリームに対する抽出及び軟判定方法は、次の通りに説明できる。図４に示すように、衛星アンテナ４００は、送信側から送信されたＤＶＢ−Ｓ２  ＢＣモードの不均一８ＰＳＫ信号を衛星を介して受信し、復調ブロックへと伝達する。この時、前記信号同期部４０５では、受信信号に対する同期化機能（例；位相、タイミング及び周波数の復元等）を行う。以後、同期化されたＩチャネルとＱチャネルに該当する受信信号は、信号分岐部４１０で２つの信号に分岐され、各ストリームのための復調ブロックに伝達される。
【００４０】
前記分岐された他方のＩチャネル信号及びＱチャネル信号は、それぞれ第１及び第２絶対値演算器４４１、４４２に一対一で相応して伝達される。これにより、第１絶対値演算器４４１は、Ｉチャネル信号を受信して絶対値を取り、第２絶対値演算器４４２は、Ｑチャネル信号を受信して絶対値を取る。このような過程を介して受信される全ての信号は、図１に示された第１四分面の領域に全て移動する。このように移動した信号にＱチャネルの場合は、ｃｏｓ（π/４）を、Ｉチャネルの場合は、ｓｉｎ（π/４）を第１及び第２積算器４５１、４５２を介して積算する。ここで、積算する三角関数値であるコサイン値とサイン値は、三角関数発生部４６０から発生されて提供される。前記過程によって三角関数値が積算された信号は、合算器４７０を介して互いに合算される。このような前記過程によって前記信号同期部４０５を通過した信号は、図１に示された水平軸を基準として第１四分面の２つの星座点のＱチャネル成分を上下に区分できるように移動する。
【００４１】
このような信号は、第３ルックアップテーブル４８１を介しての比較により、予め指定を受けて格納されている値に対応する出力がＤＶＢ−Ｓ２復号器４９０に出力されるようにし、その具体的な動作方法は、第１及び第２ルックアップテーブルと大差なく似かよっているため、ここでは説明を省略する。
【００４２】
上述したようなＬＰストリームに対する抽出及び軟判定方法は、次の通りに説明できる。ＤＶＢ−Ｓ２  ＢＣモード信号は、標準に記述されたように、不均一８ＰＳＫ変調を介して伝達される。その理由は、従来のＤＶＢ−Ｓ信号がＱＰＳＫ信号に伝達されることを維持し、かつシンボル当たり１ビットのＬＰストリーム信号を挿入して送信するためのものである。相対的に強力な符号化機能を有しているＬＰストリームの場合、ＨＰストリームに比べて比較的微弱な信号であるとしても、本来の信号に復元させ得る能力があるため、ＱＰＳＫ星座点をそれぞれ左右に一定角度分広げ、ＱＰＳＫの性質を維持し続け、かつ微細な区分を可能にさせているのである。こうした理由から、図１に示された星座の形態を有するようになる。このような理由で、ＬＰストリームを軟判定する過程は、図１に示されている不均一８ＰＳＫの星座点の間でそれぞれ四分面内部の二点間の区分を行うものとして定義付けられる。これによって、受信された信号が、実際にどの四分面に位置しているのかが検知されれば、ＢＰＳＫの形態の区分が可能になる。このような過程を経て図１に示されたｂ２ビット値に対応する軟判定値を出力し、このような過程で生じる信号の減少及び性能の低下は無視する。このような過程は、ＨＰストリーム及びＬＰストリームが加算されている信号から、ＬＰストリームを抽出及び軟判定する過程といえる。
【００４３】
なお、本発明は、上記した実施形態に限定されるものではなく、本発明に係る技術的思想の範囲から逸脱しない範囲内で様々な変更が可能であり、それらも本発明の技術的範囲に属する。
【図面の簡単な説明】
【００４４】
【図１】ＤＶＢ−Ｓ２（Ｄｉｇｉｔａｌ  Ｖｉｄｅｏ  Ｂｒｏａｄ  ｃａｓｔｉｎｇ  ｖｉａ  Ｓａｔｅｌｌｉｔｅ  ｖｅｒｓｉｏｎ  ２）ＢＣ（Ｂａｃｋｗａｒｄ  Ｃｏｍｐａｔｉｂｌｅ）モードのための不均一８ＰＳＫ（Ｐｈａｓｅ  Ｓｈｉｆｔ  Ｋｅｙｉｎｇ）星座を示す図である。
【図２】ＤＶＢ−Ｓ２  ＢＣモードのための送信装置の一実施形態を示す構成図である。
【図３】従来の技術に係るＤＶＢ−Ｓ２  ＢＣモードの不均一８ＰＳＫ信号の独立的ストリーム抽出及び軟判定装置並びにそれを利用した復調装置の一例示図である。
【図４】本発明に係るＤＶＢ−Ｓ２  ＢＣモードの不均一８ＰＳＫ信号の独立的ストリーム抽出及び軟判定装置並びにそれを利用した復調装置の一実施形態を示す構成図である。
【符号の説明】
【００４５】
４００      衛星アンテナ
４０５      信号同期部
４１０      信号分岐部
４２０      ＨＰストリーム抽出及び軟判定部
４３０      ＤＶＢ−Ｓ復号器
４４０      絶対値演算部
４５０      積算演算部
４６０      三角関数発生部
４７０      合算器
４８０      ＬＰストリーム抽出及び軟判定部
４９０      ＤＶＢ−Ｓ２復号器
【図１】
2007135193.tif 000004
【図２】
2007135193.tif 000005
【図３】
2007135193.tif 000006
【図４】
2007135193.tif 000007